(57)【特許請求の範囲】
【請求項１】
電池を収納した状態で、該電池を駆動源として作動する作動装置に電圧を供給する、以下の要件を備えることを特徴とする電池収納装置。
（イ）装置本体は電池を収納する収納部と、該収納部に収納した電池の電極を露出させる開口部とを備えるとともに、装置本体には上記作動装置に係合し、装置本体を作動装置に取り付ける取付手段を設けたこと
（ロ）上記装置本体はロボットの形状をなし、頭部には装置本体に電池を収納したか否かを表示する表示手段を設けたこと
（ハ)上記表示手段は上記電池に係脱して上下に回動する回動部材で構成され、該回動部材の前面には電池の収納の有無を表示する瞳を模した収納情報が形成され、上記頭部には該収納情報を表示する目部を模した表示窓が形成されていること
（ニ）上記収納部に電池を収納した時には、上記回動部材が回動し、上記瞳が上記目部から視認できること
【発明の詳細な説明】
【０００１】
【発明の属する技術分野】
本発明は、電池収納装置、詳しくは電池を収納した状態で、該電池を駆動源として作動する作動装置に電圧を供給することができる電池収納装置に関する。
【０００２】
【従来の技術】
従来、電池を駆動源として作動する作動装置を備えたものが玩具や文具等に数多く提供されている。これらの玩具や文具は本体内に電池の収納部を設け、その収納部内に電池を収納することにより収納部内に設けられた端子に電池の電極が接触し、その端子を経由して作動装置に電圧が供給されるように構成されている。
【０００３】
【発明が解決しようとする課題】
しかしながら、収納部内に電池を入れたまま放置すると、電池の消耗が進むとともに、液漏れ等で本体にダメージを与えることがあった。
【０００４】
本発明は上記問題点を解消し、電池を収納した状態で他の作動装置に電圧を供給することができ、しかも、電池の収納状態を一目で確認できるとともに、単独で玩具として楽しむことができる多機能の電池収納装置を提供することをその課題とする。
【０００５】
【課題を解決するための手段】
前記課題を解決するため、本発明に係る電池収納装置は、電池を収納した状態で、該電池を駆動源として作動する作動装置に電圧を供給する、以下の要件を備えることを特徴とする。
（イ）装置本体は電池を収納する収納部と、該収納部に収納した電池の電極を露出させる開口部とを備えるとともに、装置本体には上記作動装置に係合し、装置本体を作動装置に取り付ける取付手段を設けたこと
（ロ）上記装置本体はロボットの形状をなし、頭部には装置本体に電池を収納したか否かを表示する表示手段を設けたこと
（ハ)上記表示手段は上記電池に係脱して上下に回動する回動部材で構成され、該回動部材の前面には電池の収納の有無を表示する瞳を模した収納情報が形成され、上記頭部には該収納情報を表示する目部を模した表示窓が形成されていること
（ニ）上記収納部に電池を収納した時には、上記回動部材が回動し、上記瞳が上記目部から視認できること
【０００６】
【発明の実施の形態】
図１及び図２は、本発明に係る電池収納装置の一例を示し、この電池収納装置はロボット形状の装置本体１に電池２の収納部３を形成したもので、装置本体（ロボット）１の胴体部４の側面には、腕部５を連結する連結突部６と、脚部７を連結する連結突部８とが突出して形成され、連結突部６、８に腕部５と脚部７とを嵌め合わせることによりロボットの形状をなすように構成されている。
【０００７】
そして、ロボット頭部１０の上面には電池２を収納部３に出し入れする挿入口１１と、この挿入口１１を覆う蓋部材１２が回動可能に設けられ、胴体部４の下端には電池の陰極を露出させる開口部１５が形成され、背中には後述する作動装置Ａに取り付ける為の取付手段１６が設けられている（図３参照）。
【０００８】
取付手段１６は胴体部４の背中に形成された方形の係合孔で形成され、図４に示すように、作動装置Ａに突出して形成された一対の係止片１７を取付手段（係合孔）１６内に差し込むことにより作動装置Ａに装置本体１を連結することができるように形成されている。なお、作動装置Ａには係止片１７の上方と下方とに装置本体１を上下から保持する保持片１８、１９が突出して形成され、この保持片には電池の電極２ａ、２ｂに接触する端子２０、２１がそれぞれ設けられている。
【０００９】
そして、上記蓋部材１２には電池２の陽極２ａの径より若干広い幅の長穴２２が形成され、蓋部材１２を開いて挿入口１１から電池２を収納部３内に装填し、蓋部材１２を閉じた時には蓋部材１２で電池２を押えつけて収納部３から飛び出さないように保持するとともに、蓋部材１２に形成された長穴２２から陽極２ａのみが露出するように形成されている。
【００１０】
また、ロボットの頭部１０内には電池が収納されたことを表示する表示手段２５が設けられている。この表示手段２５は、頭部１０内に上下に回動可能に軸支された回動部材で構成されている。この表示手段（回動部材）２５は、図５（ａ）に示すように、略コ字状に形成され、両側面の後部には支軸２７が外側に向かって突出し、この支軸２７が頭部１０に形成された軸受２８に支持され、支軸２７を中心に上下に回動するように形成されている。そして、回動部材の後端は内側に向かって折り曲げられて係合片３０が形成され、この係合片３０は、図５（ｄ）に示すように、収納部３内にせり出して、電池の側壁２ｃに係合すると、図５（ｅ）に示すように、回動部材２５の前面２５ａが上動するように形成されている。回動部材２５の前面には、図５（ｃ）に示すように、瞳を模した収納情報２６が表示されているので、収納情報（瞳）２６が頭部１０前面に形成された目部である表示窓３１から露出し（図７（ａ） 参照）、あたかもロボットが目を開けて起きている状態になり電池収納装置が機能することを使用者に知らせる。電池が収納されていない時は、回動部材２５は自重で下動し、表示窓３１から収納情報が消失し（図１参照）、あたかもロボットが目を閉じて寝ている状態になり電池収納装置が機能しないことを使用者に知らせるように構成されている。
【００１１】
なお、胴体部４の下端に形成された陰極２ｂを露出させる開口部１５は収納する電池の半径とほぼ同じ大きさに形成されているので、電池２を正しく装填した時は、図６（ａ）に示すように、蓋部材１２の長穴２２に陽極２ａが当たらないので蓋部材１２は正しく閉めることができるが、電池２を収納部３に逆向きに収納した場合は、図６（ｂ）に示すように、陽極２ａが開口部１５から下方に突出できないので、収納部３からは電池の底部全体が突出することになり、蓋部材１２を閉じることができなくなって電池の挿入ミスを使用者に知らせることができ、電池の誤装填によるトラブルを防止することができる。
【００１２】
次に、上述の電池収納装置の使用態様の一例について説明する。図７は電池収納装置をロケットを模した作動装置（電動消ゴム）Ａに取り付ける場合を説明するもので、この電動消ゴムは内部にモータとモータに連動して回転する回転軸が配置され、回転軸の先端には消ゴム３５が取り付けられたものである。
【００１３】
先ず、蓋部材１２を開けて電池２を正しく装填する。電池２が装填されると、表示窓３１に収納情報２６である瞳が表示され、電池が収納されていることが一目で分かる。次に、電動消ゴムの側面に形成された係止片１７に装置本体１に形成された係合孔１６を係合させることにより電池収納装置を電動消ゴムに取り付けることができる。この時、装置本体１は２つの保持片１８、１９に挟持されるように保持されることになるが、保持片１８に設けられた端子２０が長穴２２から露出した陽極２ａに接触し、保持片１９に設けられた端子２１が開口部１５から露出した陰極２ｂに接触して作動装置Ａに電圧を供給する準備が整ったことになる。そこで、電動消ゴムの電源スイッチ３６をＯＮするとモータに電圧が印加されて消ゴム３５が回転し、電動消ゴムを作動させることができる。
【００１４】
作動装置を使用しない時は、恰もロボットがロケットを背中に付けて立っているように見え、机や本棚などに飾っておいて楽しむことができるし、電池収納装置を作動装置から外して単独でロボットとして楽しむこともできる。
【００１５】
なお、電池収納装置を作動装置から外した場合、電池には作動装置が接続されていない状態になるので、電池の消耗を防ぐとともに、電池に液漏れが発生しても電池収納装置には電気回路が存在しないので液漏れによるトラブルが発生することはないし、作動装置に何ら影響を与えることはない。
【００１６】
なお、上述の電池収納装置は作動装置として電動消ゴムに電圧を供給したが、作動装置は電動消ゴムに限定されるものではなく、モータでポンプを回してタンク内の水を発射する水鉄砲玩具や、走行玩具、球体発射玩具等モータを駆動力とする作動装置や、音を出力する作動装置、光を発する作動装置であればその適用範囲には際限がない。
【００１７】
また、本発明の電池収納装置では、装置本体の形状をロボット形状で説明したが、その形状はロボット形状に限定されるものではなく様々なキャラクターにし、このキャラクターに関連する形状や動作の作動装置を組み合わせることにより、新しい玩具のハードとソフトとを構築することができる。
【００１８】
【発明の効果】
本発明によれば、収納した電池に係合して回動部材が回動すると、この回動部材に表示された収納情報である瞳が表示窓である目部から表示されるので、電池を収納すると、恰もロボットが眠りから覚めて目を開けたように作動するので、電池が収納されたことにより電池収納装置が使用可能状態になったことが瞳の動きにリンクして一目で確認することができる。
【００１９】
そして、作動玩具を作動させない時は、作動玩具から外してロボット玩具単独で飾って楽しむことができる。
【図面の簡単な説明】
【図１】本発明に係る電池収納装置の斜視図
【図２】上記電池収納装置の分解正面図
【図３】上記電池収納装置の背面図
【図４】作動装置の斜視図
【図５】（ａ）（ｂ）（ｃ）（ｄ）（ｅ）は表示手段の構成を示す頭部横断面図、表示手段の縦断面図、正面図および表示手段の作動状態を示す要部断面図
【図６】（ａ）（ｂ）は収納部に収納する電池の状態を説明する収納部の要部断面図
【図７】（ａ）（ｂ）は電池収納装置の使用状態の一例を示す斜視図
【符号の説明】
１  装置本体
２  電池
２ａ、２ｂ  電極
３  収納部
１５  開口部
１６  取付手段
２２  開口部（長穴）
２５  表示手段（回動部材）
２６  収納情報
３１  表示窓（目部）
Ａ  作動装置
【図１】
0003612420.tif 000002
【図２】
0003612420.tif 000003
【図３】
0003612420.tif 000004
【図４】
0003612420.tif 000005
【図５】
0003612420.tif 000006
【図６】
0003612420.tif 000007
【図７】
0003612420.tif 000008